(57)【特許請求の範囲】
【請求項１】
複数の基地局装置と複数の端末装置により構成される無線通信システムであって、
予め設定された特定加入者群に属するひとつ又は複数の端末装置を、前記特定加入者群に属さないひとつ又は複数の端末装置に優先して接続する運用を行う第１の基地局装置と、
前記第１の基地局装置に隣接し、前記特定加入者群に属さないひとつ又は複数の端末装置の接続が可能な第２の基地局装置と
を備え、
前記第２の基地局装置は、
前記第１の基地局装置から、前記特定加入者群に属さない少なくともひとつの端末装置をハンドオーバの対象とし、かつ、前記特定加入者群に属さない端末装置のハンドオーバを許可しないことを示す識別情報又は前記特定加入者群に属する少なくともひとつの端末装置を優先的に接続するために前記特定加入者群に属さない少なくともひとつの端末装置を切り離すためのハンドオーバに該当することを示す識別情報を含む第１のハンドオーバ要求を受信した場合には、自局に接続しているひとつ又は複数の、前記特定加入者群に属さない端末装置に対して、前記第１の基地局装置へのハンドオーバの抑止を実施し、
前記第１の基地局装置から、前記特定加入者群に属する少なくともひとつの端末装置をハンドオーバの対象とする第２のハンドオーバ要求を受信した場合には、自局に接続しているひとつ又は複数の、前記特定加入者群に属さない端末装置に対して、前記第１の基地局装置へのハンドオーバの抑止を解除する
ことを特徴とする無線通信システム。
【請求項２】
前記第２の基地局装置は、
前記ハンドオーバの抑止を実施している期間において、前記第１の基地局装置を除外してハンドオーバ先を決定することを特徴とする、請求項１に記載の無線通信システム。
【請求項３】
前記第２の基地局装置は、
前記第１のハンドオーバ要求を受信したときに、自局に接続しているひとつ又は複数の、前記特定加入者群に属さない端末装置に対して、前記第２の基地局装置から前記第１の基地局装置へのハンドオーバの契機となる、前記第１の基地局装置からの下り信号の受信品質の報告を行わないように通知し、
前記第２のハンドオーバ要求を受信したときに、前記第２の基地局装置に接続しているひとつ又は複数の、前記特定加入者群に属さない端末装置に対して、前記報告を行うように通知する
ことを特徴とする、請求項１または２に記載の無線通信システム。
【請求項４】
前記第１の基地局装置は、
前記特定加入者群に属さない一つ以上の端末装置が接続され、かつ接続可能な最大数の端末装置が接続された状態で、前記特定加入者群に属する第１の端末装置から接続要求があった場合に、
自局に接続されていて、前記特定加入者群に属さない端末装置の一つである第２の端末装置を選択し、前記第２の端末装置をハンドオーバの対象とする前記第１のハンドオーバ要求を、隣接する基地局装置に送信することを特徴とする、請求項１ないし３のいずれかに記載の無線通信システム。
【請求項５】
複数の基地局装置と複数の端末装置により構成され、
予め設定された特定加入者群に属するひとつ又は複数の端末装置を、前記特定加入者群に属さないひとつ又は複数の端末装置に優先して接続する運用を行う第１の基地局装置と、
前記第１の基地局装置に隣接し、前記特定加入者群に属さないひとつ又は複数の端末装置の接続が可能な第２の基地局装置と
を備えた無線通信システムを用いた無線通信方法であって、
前記第２の基地局装置は、
前記第１の基地局装置から、前記特定加入者群に属さない少なくともひとつの端末装置をハンドオーバの対象とし、かつ、前記特定加入者群に属さない端末装置のハンドオーバを許可しないことを示す識別情報又は前記特定加入者群に属する少なくともひとつの端末装置を優先的に接続するために前記特定加入者群に属さない少なくともひとつの端末装置を切り離すためのハンドオーバに該当することを示す識別情報を含む第１のハンドオーバ要求を受信した場合には、自局に接続しているひとつ又は複数の、前記特定加入者群に属さない端末装置に対して、前記第１の基地局装置へのハンドオーバの抑止を実施し、
前記第１の基地局装置から、前記特定加入者群に属する少なくともひとつの端末装置をハンドオーバの対象とする第２のハンドオーバ要求を受信した場合には、自局に接続しているひとつ又は複数の、前記特定加入者群に属さない端末装置に対して、前記第１の基地局装置へのハンドオーバの抑止を解除する
ことを特徴とする無線通信方法。
【請求項６】
複数の端末装置が接続される無線基地局装置であって、
予め設定された特定加入者群に属するひとつ又は複数の端末装置を、前記特定加入者群に属さないひとつ又は複数の端末装置に優先して接続する運用を行う隣接基地局装置を有し、
自局においては前記特定加入者群に属さないひとつ又は複数の端末装置の接続を可能とする運用を行い、
前記隣接基地局装置から、前記特定加入者群に属さない少なくともひとつの端末装置をハンドオーバの対象とし、かつ前記特定加入者群に属さない端末装置のハンドオーバを許可しないことを示す識別情報又は前記特定加入者群に属する少なくともひとつの端末装置を優先的に接続するために前記特定加入者群に属さない少なくともひとつの端末装置を切り離すためのハンドオーバに該当することを示す識別情報を含む第１のハンドオーバ要求を受信した場合には、自局に接続しているひとつ又は複数の、前記特定加入者群に属さない端末装置に対して、前記隣接基地局装置へのハンドオーバの抑止を実施し、
前記隣接基地局装置から、前記特定加入者群に属する少なくともひとつの端末装置をハンドオーバの対象とする第２のハンドオーバ要求を受信した場合には、自局に接続しているひとつ又は複数の、前記特定加入者群に属さない端末装置に対して、前記隣接基地局装置へのハンドオーバの抑止を解除する
ことを特徴とする無線基地局装置。
【請求項７】
前記ハンドオーバの抑止を実施している期間において、前記隣接基地局装置を除外してハンドオーバ先を決定することを特徴とする、請求項６に記載の無線基地局装置。
【請求項８】
前記第１のハンドオーバ要求を受信したときに、自局に接続しているひとつ又は複数の、前記特定加入者群に端末装置に対して、自局から前記隣接基地局装置へのハンドオーバの契機となる、前記隣接基地局装置からの下り信号の受信品質の報告を自局に対して行わないように通知し、
前記第２のハンドオーバ要求を受信したときに、自局に接続しているひとつ又は複数の、前記特定加入者群に属さない端末装置に対して、前記報告を自局に対して行うように通知する
ことを特徴とする、請求項６または７に記載の無線基地局装置。
【請求項９】
さらに、前記特定加入者群に属さない端末装置のアクセスを一時的に受け入れない隣接セルの識別情報と、前記特定加入者群を識別する加入者群識別子（ＩＤ）とを対応して記憶する非加入者群メンバ規制中セルリスト
を備え、
特定加入者群に属するか否かを表すメンバーステータスフィールドと、加入者群ＩＤと、ハンドオーバの要因を表すＣａｕｓｅフィールドを設定したハンドオーバ要求メッセージを受信し、
ハンドオーバ要求メッセージに加入者群ＩＤが含まれる場合、メンバーステータスフィールドのデータに基づき、ハンドオーバ対象の端末装置がハンドオーバ元セルの前記特定加入者群に属する端末装置であるか否かを判定し、
ハンドオーバ対象の端末装置が、ハンドオーバ元セルの特定加入者群に属する端末装置である場合、且つ、ハンドオーバ元セルが非加入者群メンバ規制中セルリストに登録されている場合、ハンドオーバ元セルを非加入者群メンバ規制中セルリストから削除し、
一方、ハンドオーバ対象の端末装置が、ハンドオーバ元セルの特定加入者群に属する端末装置でない場合、且つ、ハンドオーバ要求メッセージのＣａｕｓｅフィールドのデータが、要求されたハンドオーバが特定加入者群に属する端末装置を優先的に接続する目的で特定加入者群に属さない端末装置を輻輳中のセルから切り離すためのハンドオーバに該当する場合、ハンドオーバ元セルが非加入者群メンバ規制中セルリストに登録されていない場合、ハンドオーバ元セルの識別情報と加入者群ＩＤを非加入者群メンバ規制中セルリストに登録する
ことを特徴とする請求項６に記載の無線基地局装置。
【請求項１０】
さらに、前記特定加入者群に属さない端末装置のアクセスを一時的に受け入れない隣接セルの識別情報と、前記特定加入者群を識別する加入者群識別子（ＩＤ）とを対応して記憶する非加入者群メンバ規制中セルリスト
を備え、
ハンドオーバ指示を受信すると、ハンドオーバ指示に含まれる全ての隣接セルについて、
隣接セルが非加入者群メンバ規制中セルリストに登録されていない場合、当該隣接セルをハンドオーバ先候補に追加し、
一方、
隣接セルが非加入者群メンバ規制中セルリストに登録されている場合、端末装置から事前に報告された加入者群ＩＤと、非加入者群メンバ規制中セルリストに記載されている当該隣接セルの加入者群ＩＤが一致するか否かにより、当該端末装置が当該隣接セルの特定加入者群に属するか否かを判定し、
前記端末装置が前記隣接セルの特定加入者群に属する場合、当該隣接セルをハンドオーバ先候補に追加し、一方、前記端末装置が前記隣接セルの特定加入者群に属さない場合、当該隣接セルをハンドオーバ先候補から除外する
ことを特徴とする請求項７に記載の無線基地局装置。
【請求項１１】
さらに、下り信号品質測定する処理の対象から除外する隣接セルを登録するための測定除外リスト
を備え、
特定加入者群に属するか否かを表すメンバーステータスフィールドと、加入者群ＩＤと、ハンドオーバの要因を表すＣａｕｓｅフィールドを設定したハンドオーバ要求メッセージを受信し、
ハンドオーバ要求メッセージに加入者群ＩＤが含まれる場合、メンバーステータスフィールドのデータに基づき、ハンドオーバ対象の端末装置がハンドオーバ元セルの特定加入者群に属するか否かを判定し、
ハンドオーバ対象の端末装置が、ハンドオーバ元セルの特定加入者群に属する場合、且つ、ハンドオーバ元セルが測定除外リストに登録されている場合、ハンドオーバ元セルを測定除外リストから削除し、自局に接続されている、測定除外リストから削除されたハンドオーバ元セルの特定加入者群に属さないひとつ又は複数の端末装置に対し、下り信号品質測定の対象に当該セルを含めるよう、下り信号品質測定の設定を変更し、
一方、
ハンドオーバ対象の端末装置が、ハンドオーバ元セルの特定加入者群に属さない場合、且つ、ハンドオーバ要求メッセージのＣａｕｓｅフィールドの値が、要求されたハンドオーバが特定加入者群に属する端末装置を優先的に接続する目的で特定加入者群に属さない端末装置を輻輳中のセルから切り離すためのハンドオーバに該当する場合、ハンドオーバ元セルが測定除外リストに登録されていないとき、ハンドオーバ元セルを測定除外リストに登録し、自装置に接続されている、測定除外リストに登録されたハンドオーバ元セルの特定加入者群に属さないひとつ又は複数の端末装置に対し、下り信号品質測定の対象から当該セルを除外するよう、下り信号品質測定の設定を変更する
ことを特徴とする請求項８に記載の無線基地局装置。
【発明の詳細な説明】
【技術分野】
【０００１】
本発明は、無線通信システムおよび方法、無線基地局装置に係り、特に、小規模基地局（例えば、フェムト基地局）を含む、ハンドオーバ規制機能を有するセルラ無線通信システムおよび方法と、そのような無線通信システムで用いられる無線基地局装置に関する。
【背景技術】
【０００２】
従来より、携帯電話などのセルラ無線通信システムにおいては、一つの基地局が広域をカバーするマクロセル方式が用いられている。マクロセル方式は、ハンドオーバ回数が少なくなるために高速移動に適すること、少数の基地局によってエリアの拡大が可能であることなどが特徴である。しかし、マクロセル方式では、屋内などの局所的に生じる不感地帯の対策が難しいことが欠点である。
これに対し、マクロセル基地局からの電波が到達しにくい場所に、マクロセルより小さいセルを提供する基地局を設置して、不感地帯を解消するアプローチが考えられている。
特に、最近では、一棟の家屋がカバーできる程度の小型基地局を各家庭に設置するフェムトセル方式が注目されており、Ｗ−ＣＤＭＡやＥＶ−ＤＯなどのいわゆる第３世代セルラ無線通信システムにおいて、フェムトセル方式の商用サービスが開始されつつある。
また、Ｗ−ＣＤＭＡの後継の規格であるＬＴＥ（Ｌｏｎｇ  Ｔｅｒｍ  Ｅｖｏｌｕｔｉｏｎ）においても、フェムトセル方式の規格策定が行われている。
フェムトセル方式では、無線ＬＡＮと同程度の電波到達範囲を有する小型基地局（フェムトセル基地局）を各家庭に設置し、インターネットを介してフェムトセル基地局をセルラ通信網に接続する。フェムトセル基地局は、不感地帯の解消を目的とするため、局所的にフェムトセルがマクロセルに重複する形で運用する場合がある。
また、フェムトセルは、家庭での使用を想定して、限定された加入者の端末に対してのみ、基地局への接続を許可する機能を有している。
Ｗ−ＣＤＭＡやＬＴＥでは、フェムトセルの接続モードとして、以下の３種類が定義されている。第１に、マクロセルと同じく、全ての加入者の端末に基地局への接続を許可するモード（オープンアクセスモード）、第２に、ＣＳＧ（Ｃｌｏｓｅｄ  Ｓｕｂｓｃｒｉｂｅｒ  Ｇｒｏｕｐ）メンバと呼ばれる限定された加入者の端末にのみ、基地局への接続を許可するモード（クローズドアクセスモード）、第３に、ＣＳＧメンバを優先するが、それ以外の加入者（以下、非ＣＳＧメンバとする）の端末にも基地局への接続を許可するモード(ハイブリッドアクセスモード)である。
このうち、クローズドアクセスモードにて運用されるセルはＣＳＧセル、ハイブリッドアクセスモードにて運用されるセルはハイブリッドセルと呼ばれる。
ＣＳＧセルもしくはハイブリッドセルには、ＣＳＧ  ＩＤと呼ばれる識別子が付与され、各々のＣＳＧ  ＩＤに対してＣＳＧメンバが定義されている。
【先行技術文献】
【特許文献】
【０００３】
【特許文献１】特開２００８−２１１４１１号公報
【非特許文献】
【０００４】
【非特許文献１】３ＧＰＰ  ＴＳ３６．３２１  ｖ９．１．０
【非特許文献２】３ＧＰＰ  ＴＳ３６．３２２  ｖ９．０．０
【非特許文献３】３ＧＰＰ  ＴＳ３６．３２３  ｖ９．０．０
【非特許文献４】３ＧＰＰ  ＴＳ３６．３３１  ｖ９．１．０
【非特許文献５】３ＧＰＰ  ＴＳ３６．４１３  ｖ９．１．０
【非特許文献６】３ＧＰＰ  ＴＳ３６．４２３  ｖ９．１．０
【非特許文献７】３ＧＰＰ  ＴＳ２３．４０１  ｖ９．３．０
【非特許文献８】３ＧＰＰ  ＴＳ３６．３０４  ｖ９．１．０
【発明の概要】
【発明が解決しようとする課題】
【０００５】
上述の通り、ハイブリッドセルにおいては、ＣＳＧメンバ（特定の加入者群）の端末装置を優先的に基地局装置に接続する。
したがって、ハイブリッドセルを形成する基地局装置にＣＳＧメンバと非ＣＳＧメンバの端末装置がともに接続され、かつ接続数が基地局装置の許容数の上限に達した状態（輻輳状態）において、新たなＣＳＧメンバの端末装置が、電源投入や他セルからのハンドオーバなどにより、基地局装置に接続しようとした場合には、非ＣＳＧメンバの端末装置を当該基地局装置から切り離し、その代わりにＣＳＧメンバの端末装置が接続できるようにすることが求められる。
ただし、非ＣＳＧメンバの通信を終了させると、その非ＣＳＧメンバにとっては、利便性が損なわれる。
このため、ハイブリッドセルを構成する基地局装置から非ＣＳＧメンバの端末装置を切り離す方法としては、当該非ＣＳＧメンバの端末装置が接続可能な隣接セルにハンドオーバさせることが望ましい。
ここで、非ＣＳＧメンバの端末装置を隣接セルにハンドオーバさせ、ＣＳＧメンバの端末装置を基地局装置に接続した後のハイブリッドセルは、依然として接続数が基地局装置の許容数の上限に達した状態になっている。この状態でＣＳＧメンバの端末装置の接続を優先させると、非ＣＳＧメンバの端末装置の接続は不可能となる場合がある。
しかし、現状では、前記ハイブリッドセルを形成する基地局装置に非ＣＳＧメンバの端末装置が接続できないことを、隣接セルを構成する基地局装置や隣接セルに在圏する非ＣＳＧメンバの端末装置は事前に知り得ないため、当該隣接セルから当該ハイブリッドセルへの、非ＣＳＧメンバの端末装置のハンドオーバの要求が発生する可能性がある。
【０００６】
特に、ＣＳＧメンバの端末装置を優先的に接続するためにハイブリッドセルから隣接セルにハンドオーバした非ＣＳＧメンバの端末装置においては、通常のハンドオーバと異なり、ハンドオーバ元のハイブリッドセルの方が、ハンドオーバ先の隣接セルに比べて、電波の受信品質が良い場合がある。
この場合、ハイブリッドセルから隣接セルにハンドオーバした非ＣＳＧメンバの端末装置が、ハンドオーバ前に在圏していたハイブリッドセルに戻るためのハンドオーバの要求が発生する可能性がある。
このように、非ＣＳＧメンバの端末装置が接続できない状態にあるハイブリッドセルの隣接セルから当該ハイブリッドセルへの、非ＣＳＧメンバの端末装置のハンドオーバの要求が発生した場合、現状では、当該ハイブリッドセルを形成する基地局装置がハンドオーバの要求を拒否する。
しかし、このような動作では、非ＣＳＧメンバの端末装置の当該ハイブリッドセルへのハンドオーバ要求が頻繁に発生した場合に、ネットワーク、および当該ハイブリッドセルを形成する基地局装置の負荷が増大する。
このため、ハイブリッドセルに非ＣＳＧメンバの端末装置が接続できない場合、ハイブリッドセルの隣接セルにおいて、非ＣＳＧメンバの端末装置のハンドオーバ先として当該ハイブリッドセルを選択しないようにすれば、上記のネットワークや基地局装置の負荷の軽減が期待できる。
しかし、そのためには、ハイブリッドセルが隣接するセルに対し、非ＣＳＧメンバの端末装置の接続の可否を通知すること等の処理及びシステムが必要になるが、現状ではその仕組みは存在しない。
【０００７】
本発明は、以上の点に鑑み、ハイブリッドセルが輻輳したときに、当該ハイブリッドセルに隣接するセルを形成する基地局装置の側で、当該隣接セルから当該ハイブリッドセルへの、非ＣＳＧメンバの端末装置のハンドオーバの要求を抑止し、ネットワークおよびハイブリッドセルを形成する基地局装置の負荷の増加を防止することを目的とする。
また、本発明は、既存のハンドオーバ手順のみで、ハイブリッドセルから隣接セルに対し、ハイブリッドセルへのハンドオーバの規制の適用および解除を通知することを可能とし、通知のための新たな手順の定義を不要とすることを目的とする。
【課題を解決するための手段】
【０００８】
上記の課題を解決するために、
ハイブリッドセルの隣接セルを形成する基地局装置は、ハイブリッドセルを形成する基地局装置から、非ＣＳＧメンバの端末装置の当該ハイブリッドセルへのハンドオーバの禁止を示す識別情報を含む、非ＣＳＧメンバの端末の当該ハイブリッドセルから当該隣接セルへのハンドオーバの要求を受信すると、当該隣接セルに在圏する非ＣＳＧメンバの端末装置の当該ハイブリッドセルへのハンドオーバを抑止する。
また、ハイブリッドセルの隣接セルを形成する基地局装置は、ハイブリッドセルを形成する基地局装置から、ＣＳＧメンバの端末装置の当該ハイブリッドセルから当該隣接セルへのハンドオーバの要求を受信すると、当該隣接セルに在圏する非ＣＳＧメンバの端末装置の当該ハイブリッドセルへのハンドオーバの抑止を解除する。
【０００９】
本発明の第１の解決手段によると、
複数の基地局装置と複数の端末装置により構成される無線通信システムであって、
予め設定された特定加入者群に属するひとつ又は複数の端末装置を、前記特定加入者群に属さないひとつ又は複数の端末装置に優先して接続する運用を行う第１の基地局装置と、
前記第１の基地局装置に隣接し、前記特定加入者群に属さないひとつ又は複数の端末装置の接続が可能な第２の基地局装置と
を備え、
前記第２の基地局装置は、
前記第１の基地局装置から、前記特定加入者群に属さない少なくともひとつの端末装置をハンドオーバの対象とし、かつ、前記特定加入者群に属さない端末装置のハンドオーバを許可しないことを示す識別情報又は前記特定加入者群に属する少なくともひとつの端末装置を優先的に接続するために前記特定加入者群に属さない少なくともひとつの端末装置を切り離すためのハンドオーバに該当することを示す識別情報を含む第１のハンドオーバ要求を受信した場合には、自局に接続しているひとつ又は複数の、前記特定加入者群に属さない端末装置に対して、前記第１の基地局装置へのハンドオーバの抑止を実施し、
前記第１の基地局装置から、前記特定加入者群に属する少なくともひとつの端末装置をハンドオーバの対象とする第２のハンドオーバ要求を受信した場合には、自局に接続しているひとつ又は複数の、前記特定加入者群に属さない端末装置に対して、前記第１の基地局装置へのハンドオーバの抑止を解除する
ことを特徴とする無線通信システムが提供される。
【００１０】
本発明の第２の解決手段によると、
複数の基地局装置と複数の端末装置により構成され、
予め設定された特定加入者群に属するひとつ又は複数の端末装置を、前記特定加入者群に属さないひとつ又は複数の端末装置に優先して接続する運用を行う第１の基地局装置と、
前記第１の基地局装置に隣接し、前記特定加入者群に属さないひとつ又は複数の端末装置の接続が可能な第２の基地局装置と
を備えた無線通信システムを用いた無線通信方法であって、
前記第２の基地局装置は、
前記第１の基地局装置から、前記特定加入者群に属さない少なくともひとつの端末装置をハンドオーバの対象とし、かつ、前記特定加入者群に属さない端末装置のハンドオーバを許可しないことを示す識別情報又は前記特定加入者群に属する少なくともひとつの端末装置を優先的に接続するために前記特定加入者群に属さない少なくともひとつの端末装置を切り離すためのハンドオーバに該当することを示す識別情報を含む第１のハンドオーバ要求を受信した場合には、自局に接続しているひとつ又は複数の、前記特定加入者群に属さない端末装置に対して、前記第１の基地局装置へのハンドオーバの抑止を実施し、
前記第１の基地局装置から、前記特定加入者群に属する少なくともひとつの端末装置をハンドオーバの対象とする第２のハンドオーバ要求を受信した場合には、自局に接続しているひとつ又は複数の、前記特定加入者群に属さない端末装置に対して、前記第１の基地局装置へのハンドオーバの抑止を解除する
ことを特徴とする無線通信方法が提供される。
【００１１】
本発明の第３の解決手段によると、
複数の端末装置が接続される無線基地局装置であって、
予め設定された特定加入者群に属するひとつ又は複数の端末装置を、前記特定加入者群に属さないひとつ又は複数の端末装置に優先して接続する運用を行う隣接基地局装置を有し、
自局においては前記特定加入者群に属さないひとつ又は複数の端末装置の接続を可能とする運用を行い、
前記隣接基地局装置から、前記特定加入者群に属さない少なくともひとつの端末装置をハンドオーバの対象とし、かつ前記特定加入者群に属さない端末装置のハンドオーバを許可しないことを示す識別情報又は前記特定加入者群に属する少なくともひとつの端末装置を優先的に接続するために前記特定加入者群に属さない少なくともひとつの端末装置を切り離すためのハンドオーバに該当することを示す識別情報を含む第１のハンドオーバ要求を受信した場合には、自局に接続しているひとつ又は複数の、前記特定加入者群に属さない端末装置に対して、前記隣接基地局装置へのハンドオーバの抑止を実施し、
前記隣接基地局装置から、前記特定加入者群に属する少なくともひとつの端末装置をハンドオーバの対象とする第２のハンドオーバ要求を受信した場合には、自局に接続しているひとつ又は複数の、前記特定加入者群に属さない端末装置に対して、前記隣接基地局装置へのハンドオーバの抑止を解除する
ことを特徴とする無線基地局装置が提供される。
【００１２】
本発明の第４の解決手段によると、
複数の端末装置が接続される無線基地局装置であって、
予め設定された特定加入者群に属するひとつ又は複数の端末装置を、前記特定加入者群に属さないひとつ又は複数の端末装置に優先して接続する運用を行い、
前記特定加入者群に属さない一つ以上の端末装置が接続され、かつ接続可能な最大数の端末装置が接続された状態で、前記特定加入者群に属する第１の端末装置から接続要求があった場合に、
自局に接続されていて、前記特定加入者群に属さない端末装置の一つである第２の端末装置を選択し、
前記第２の端末装置をハンドオーバの対象とし、かつ前記特定加入者群に属さない端末装置のハンドオーバを許可しないことを示す識別情報又は前記特定加入者群に属する少なくともひとつの端末装置を優先的に接続するために前記特定加入者群に属さない少なくともひとつの端末装置を切り離すためのハンドオーバに該当することを示す識別情報を含むハンドオーバ要求を、
隣接する基地局装置に送信することを特徴とする無線基地局装置が提供される。
【発明の効果】
【００１３】
本発明によれば、ハイブリッドセルが輻輳したときに、当該ハイブリッドセルに隣接するセルを形成する基地局装置の側で、非ＣＳＧメンバの端末装置が当該隣接セルから当該ハイブリッドセルにハンドオーバを試みるのを抑止するため、ネットワークおよびハイブリッドセルを形成する基地局装置の負荷の増加を防止することが可能となる。
また、本発明によれば、既存のハンドオーバ手順のみで、ハイブリッドセルから隣接セルに対し、ハイブリッドセルへのハンドオーバの規制の適用および解除を通知することが可能となるため、通知のための新たな手順の定義が不要である。
【図面の簡単な説明】
【００１４】
【図１】本発明の第１の実施の形態における基地局装置のハンドオーバ禁止リストの更新動作のフロー図。
【図２】本発明の第１の実施の形態におけるセルラ無線通信システムの構成図。
【図３】本発明の第１の実施の形態における基地局装置の内部構成図。
【図４】本発明の第１の実施の形態における非ＣＳＧメンバ規制中セルリスト。
【図５】本発明の第１の実施の形態におけるハンドオーバのシーケンス図。
【図６（ａ）】Ｈａｎｄｏｖｅｒ  Ｒｅｑｕｉｒｅｄメッセージの内容を表す説明図。
【図６（ｂ）】Ｈａｎｄｏｖｅｒ  Ｒｅｑｕｅｓｔメッセージの内容を表す説明図。
【図７】本発明の第１の実施の形態における基地局装置の、アドミッション制御の内部動作のシーケンス図。
【図８】本発明の第１の実施の形態における基地局装置の接続可否判定動作のフロー図。
【図９】本発明の第１の実施の形態における基地局装置の、非ＣＳＧメンバの端末装置に対するハンドオーバ処理の内部動作のシーケンス図。
【図１０（ａ）】本発明の第１の実施の形態における、非ＣＳＧメンバの端末装置のハイブリッドセルへのハンドオーバの規制および規制解除の通知のための、Ｈａｎｄｏｖｅｒ  Ｒｅｑｕｉｒｅｄメッセージの内容を表す説明図。
【図１０（ｂ）】本発明の第１の実施の形態における、非ＣＳＧメンバの端末装置のハイブリッドセルへのハンドオーバの規制および規制解除の通知のための、Ｈａｎｄｏｖｅｒ  Ｒｅｑｕｅｓｔメッセージの内容を表す説明図。
【図１１】本発明の第１の実施の形態における基地局装置のハンドオーバ先決定動作のフロー図。
【図１２】本発明の第２の実施の形態における基地局装置の内部構成図。
【図１３】本発明の第２の実施の形態における基地局装置の測定除外リストの更新動作のフロー図。
【発明を実施するための形態】
【００１５】
＜Ａ．実施の形態１＞
１．システム
本発明の第１の実施の形態について、図を用いて説明する。
図２は、本発明の第１の実施の形態のセルラ無線通信システムの構成を示す図である。
セルラ無線通信システムは、複数の基地局装置から構成され、各基地局装置には１台以上の端末装置が接続される。基地局装置２０１および２０２は、共通の無線インタフェースを備え、同一の周波数帯を使用する。また、基地局装置２０１および２０２は、有線回線によってコアネットワーク２０８に接続されている。基地局装置２０１は、マクロセル基地局であり、例えば半径数百メートルから十数キロメートル程度の通話エリア（マクロセル）を持つセルラ基地局である。基地局装置２０２は、フェムトセル基地局であり、例えば半径数十メートルの通話エリア（フェムトセル）を持つ、電波出力の弱い小型セルラ基地局である。ここでは、基地局装置２０２は、基地局装置２０１が形成するセル２０６の内部に、それより狭い領域のセル２０７を形成しているものとするが、セル２０７の領域の一部がセル２０６と重複していても良い。
セル２０６は、オープンアクセスモードにて運用され、全ての端末に対し、基地局装置２０１への接続が許可される。セル２０７は、ハイブリッドアクセスモードにて運用されている。
端末装置２０３ａおよび２０３ｂは、無線回線によって基地局装置２０１又は２０２に接続し、コアネットワーク２０８やパケットデータネットワーク２０９と通信を行う。
コアネットワーク２０８には、基地局装置２０１および２０２に加えて、移動管理装置２０４、ゲートウェイ装置２０５が接続されている。移動管理装置２０４は、端末装置への識別子の割当や位置登録、呼び出し、端末認証などの機能を有し、基地局装置２０１および２０２との間で制御情報の送受信を行う。ゲートウェイ装置２０５は、パケットデータネットワーク２０９と基地局装置２０１あるいは２０２との間でユーザデータの転送を行う。
【００１６】
図３に基地局装置２０１および２０２の内部構成図の一例を示す。
基地局装置２０１および２０２は、アンテナ３０１、ＲＦ処理部３０２、物理層処理部３０３、ネットワークインタフェース３０４、およびソフトウェア３０５を備える。
ＲＦ処理部３０２は、無線レベルの信号処理を行う処理部であり、例えば特許文献１の図９におけるＲＦ処理部６０２と同様の構成をとることができる。
物理層処理部３０３は、物理層においてベースバンド信号処理を行う処理部である。
ネットワークインタフェース３０４は、基地局装置２０１もしくは２０２がコアネットワーク２０８を経由して他の装置と通信を行うための物理インタフェースである。
ソフトウェア３０５は、無線プロトコル処理部３０６、ネットワークプロトコル処理部３０７、および呼制御部３０８を備える。
無線プロトコル処理部３０６は、基地局装置が端末装置と無線通信を行う際に用いられる通信プロトコルの処理を行う処理部である。
ネットワークプロトコル処理部３０７は、基地局装置がコアネットワーク２０８に接続された他の装置と通信を行う際に用いられる通信プロトコルの処理を行う処理部である。
以下、基地局装置２０１および２０２においては、無線プロトコルおよびネットワークプロトコルは、一例として、非特許文献１ないし６に記載のＬＴＥ規格に準拠するものとする。
呼制御部３０８は、端末装置、あるいはコアネットワーク２０８に接続された他の装置との間で、通信の開始や継続、終了に必要な手順を実施する処理部であり、移動制御部３０９、アドミッション制御部３１０、下り信号品質測定制御部３１１が含まれる。
なお、呼制御部３０８は、これ以外の処理部も含む可能性があるが、本発明には関係しないため省略する。
移動制御部３０９は、呼制御部３０８内の他の制御部からハンドオーバ指示を受信した場合に、ハンドオーバ指示に含まれるハンドオーバ対象の端末装置および隣接セルの情報を用いて、ハンドオーバ先の決定を行う処理部である。
また、移動制御部３０８は、非ＣＳＧメンバ規制中セルリスト３１２を有し、ハンドオーバ先の決定の際に参照するとともに、リストの内容の更新も行う。
移動制御部３０９のこれらの動作の詳細については後述する。
非ＣＳＧメンバ規制中セルリスト３１２は、非ＣＳＧメンバの端末装置のアクセスを受け入れていない隣接ハイブリッドセルが登録されたリストである。
図４に、非ＣＳＧメンバ規制中セルリスト３１２の構成図を示す。非ＣＳＧメンバ規制中セルリスト３１２は、各々のエントリにはハイブリッドセルの識別情報およびＣＳＧ  ＩＤが記録されている。
【００１７】
アドミッション制御部３１０は、端末装置からの接続要求や、他の基地局からのハンドオーバ要求に対して、受け入れの可否を判定する処理部である。
アドミッション制御部３１０の詳細な動作については後述する。
下り信号品質測定制御部３１１は、端末装置による隣接セルの下り信号の受信品質の測定に関する設定を行う処理部である。
具体的には、下り信号品質測定制御部３１１は、端末装置に対し、隣接セルの情報、および基地局への測定結果の報告の契機を通知する。
また、下り信号品質測定制御部３１１は、端末装置から測定結果の報告があった場合に、その契機に応じて、報告を行った端末装置のハンドオーバの要否を判定する。
さらに、下り信号品質測定制御部３１１は、ハンドオーバが必要と判定した場合は、移動制御部３０９に対してハンドオーバ指示を行う。
ハンドオーバ指示では、ハンドオーバ対象の端末装置として、測定結果を報告した端末装置が通知される。また、隣接セルとして、測定結果の報告に含まれる全てのセルの情報が通知される。
【００１８】
２．処理
２−１．ハンドオーバ
次に、セル２０６とセル２０７の間のハンドオーバについて詳述する。
セル２０６とセル２０７の間のハンドオーバのための、各々のセルを形成する基地局装置２０１と２０２の間のメッセージシーケンスは、例えば、非特許文献７の図５．５．１．２．２−１等の規格又は公知・周知の手順に従い、この中のステップ９までがハンドオーバの準備に相当し、以降のステップが通信経路の切り替えに相当する。
このうち、本発明に関係するのは、ハンドオーバの準備の段階のみであるため、以下ではハンドオーバの準備の手順のみを取り上げる。
図５に、セル２０６からセル２０７へのハンドオーバの準備のシーケンスを示す。図５（ａ）は正常終了時、図５（ｂ）はハンドオーバ先基地局装置にてハンドオーバを拒否された場合の動作である。
なお、セル２０７からセル２０６へのハンドオーバの場合も、基地局装置２０１と基地局装置２０２の装置の役割が図５と逆になる他は、同じシーケンスとなる（以下、図７、８、９等でも同様）。
端末装置２０３ａまたは２０３ｂは、あらかじめ基地局より通知された設定に従い、Ｍｅａｓｕｒｅｍｅｎｔ  Ｒｅｐｏｒｔメッセージを送信する（ステップ５０１）。
基地局装置２０１は、Ｍｅａｓｕｒｅｍｅｎｔ  Ｒｅｐｏｒｔメッセージにて通知された端末周辺の電波品質状況を参照し、ハンドオーバ決定処理を行う（ステップ５０２）。
基地局装置２０１は、ハンドオーバ決定処理によりハンドオーバの実施を決定すると、移動管理装置２０４に対しＨａｎｄｏｖｅｒ  Ｒｅｑｕｉｒｅｄメッセージを送信する（ステップ５０３）。
移動管理装置２０４は、ハンドオーバ先セルを形成する基地局装置２０２に対して、Ｈａｎｄｏｖｅｒ  Ｒｅｑｕｅｓｔメッセージを送信する（ステップ５０４）。本メッセージにより、ハンドオーバ先セルの識別情報、および上り通信経路の確立のための情報（上り通信経路の識別情報やゲートウェイ装置２０５のアドレスなど）が通知される。
基地局装置２０２は、ステップ５０４にて通知された情報をもとに、アドミッション制御を行う（ステップ５０５）。
【００１９】
ステップ５０５にて基地局装置２０２がハンドオーバの受け入れを決定した場合、基地局装置２０２は、ステップ５０４への応答として、移動管理装置２０４にＨａｎｄｏｖｅｒ  Ｒｅｑｕｅｓｔ  Ａｃｋｎｏｗｌｅｄｇｅメッセージを送信する（ステップ５０６）。本メッセージにより、下り通信経路の確立のための情報（下り通信経路の識別情報、無線回線のパラメータなど）が通知される。
移動管理装置２０４は、ゲートウェイ装置２０５との間でデータ転送経路の確立の手順（ステップ５０７）を実施した後、ステップ５０３への応答として、基地局装置２０２側のリソースの確保の完了を通知するため、基地局装置２０１にＨａｎｄｏｖｅｒ  Ｃｏｍｍａｎｄメッセージを送信する（ステップ５０８）。
基地局装置２０１は、移動管理装置２０４からのＨａｎｄｏｖｅｒ  Ｃｏｍｍａｎｄメッセージにて通知された情報を用いて、ハンドオーバ先セルを最終決定する（ステップ５０９）。
ステップ５０９が完了すると、以降は通信経路の切り替えが行われる（ステップ５１０）。
一方、ステップ５０５にて基地局装置２０２がハンドオーバの拒否を決定した場合、基地局装置２０２は、ステップ５０４への応答として、移動管理装置２０４にＨａｎｄｏｖｅｒ  Ｆａｉｌｕｒｅメッセージを送信する（ステップ５１１）。
Ｈａｎｄｏｖｅｒ  Ｆａｉｌｕｒｅメッセージを受信した移動管理装置２０４は、ステップ５０３への応答として、基地局装置２０１にＨａｎｄｏｖｅｒ  Ｐｒｅｐａｒａｔｉｏｎ  Ｆａｉｌｕｒｅメッセージを送信する（ステップ５１２）。
ここで、図６（ａ）、（ｂ）に、Ｈａｎｄｏｖｅｒ  ＲｅｑｕｉｒｅｄメッセージならびにＨａｎｄｏｖｅｒ  Ｒｅｑｕｅｓｔメッセージの内容を、それぞれ示す。ただし、一部のフィールドは省略しても良い。各フィールドの定義は、例えば、非特許文献５の９章の規格に記載されており、又は、公知・周知のフォーマットを採用することができ、以降では本発明に関係するフィールドについてのみ言及する。
ハイブリッドセルへのハンドオーバの場合、Ｈａｎｄｏｖｅｒ  Ｒｅｑｕｉｒｅｄメッセージには、ハンドオーバ先のＣＳＧ  ＩＤを通知するＣＳＧ  Ｉｄフィールド、およびハンドオーバ先のセルがハイブリッドセルであることを通知するＣｅｌｌ  Ａｃｃｅｓｓ  Ｍｏｄｅフィールドが必ず含まれる。
移動管理装置２４０は、管理情報として、例えば、各ハイブリットセル又は各ＣＳＧセルのＣＳＧ  ＩＤで定められた各ＣＳＧに含まれるひとつまたは複数の端末装置の識別情報を記憶する。
基地局装置２０１から、ＣＳＧ  ＩｄフィールドおよびＣｅｌｌ  Ａｃｃｅｓｓ  Ｍｏｄｅフィールドを含むＨａｎｄｏｖｅｒ  Ｒｅｑｕｉｒｅｄメッセージを受信した移動管理装置２４０は、ＣＳＧ  Ｉｄフィールド、およびＭＭＥ  ＵＥ  Ｓ１ＡＰ  ＩＤフィールドに記載された端末装置の識別情報を参照し、自装置に設定された管理情報に基づいて、当該端末装置が当該ハイブリッドセルのＣＳＧメンバの端末装置であるか否かを判定し、その結果をＨａｎｄｏｖｅｒ  ＲｅｑｕｅｓｔメッセージのＣＳＧ  Ｍｅｍｂｅｒｓｈｉｐ  Ｓｔａｔｕｓフィールドにより基地局装置２０２に通知する。
【００２０】
２−２．アドミッション制御
次に、ステップ５０５における基地局装置２０２のアドミッション制御動作について詳述する。
図７に、ステップ５０５における基地局装置２０２の内部動作のシーケンスを示す。
基地局装置２０２では、移動管理装置２０４からＨａｎｄｏｖｅｒ  Ｒｅｑｕｅｓｔメッセージを受信すると、ハンドオーバ対象の端末装置の識別情報を含む接続要求が、ネットワークプロトコル処理部３０７からアドミッション制御部３１０に通知される（ステップ７０１）。
アドミッション制御部３１０は、接続要求を受信すると、接続可否判定処理を行う（ステップ７０２）。ステップ７０２におけるアドミッション制御部３１０の動作の詳細は後述する。
ステップ７０２の結果、非ＣＳＧメンバの端末装置を隣接セルにハンドオーバさせる必要があると判断した場合、アドミッション制御部３１０は、移動制御部３０９に対し、非ＣＳＧメンバの端末装置のハンドオーバを指示する（ステップ７０３）。
非ＣＳＧメンバの端末装置のハンドオーバ処理（ステップ７０４）が完了し、移動制御部３０９からハンドオーバ完了通知を受信すると（ステップ７０５）、アドミッション制御部３１０は、接続要求受入通知をネットワークプロトコル処理部に送信する（ステップ７０６）。
ステップ７０２の結果、非ＣＳＧメンバの端末装置を隣接セルにハンドオーバさせる必要がないと判断した場合、ステップ７０３から７０５までは省略される。また、ステップ７０６のかわりに接続受入拒否通知が伝送され、さらに、例えば、ステップ５０６のかわりにＨａｎｄｏｖｅｒ  Ｆａｉｌｕｒｅ（ステップ５１１）が伝送されるようにしてもよい。
【００２１】
図８に、ステップ７０２におけるアドミッション制御部３１０の動作フローを示す。
アドミッション制御部３１０は、ステップ７０１にてネットワークプロトコル処理部３０７から通知された接続要求を受信すると（ステップ８０１）、その時点での端末装置の接続数が装置の最大値に達しているか否かを判定する（ステップ８０２）。
ステップ８０２の結果、接続数が最大値に達していない場合、アドミッション制御部３１０は、接続要求を受け入れる（ステップ８０７）。
ステップ８０２の結果、接続数が最大値に達している場合、アドミッション制御部３１０は、ステップ８０１にて通知される端末装置がハイブリッドセル２０７のＣＳＧメンバの端末装置であるか否かを判定する（ステップ８０３）。ステップ８０３において、アドミッション制御部３１０は、端末装置から報告されたＣＳＧ  ＩＤと、自装置内部に設定されているセル２０７のＣＳＧ  ＩＤが一致した場合には、当該端末装置がセル２０７のＣＳＧメンバの端末装置であると判定し、そうでない場合には、当該端末装置がセル２０７のＣＳＧメンバの端末装置でないと判定する。なお、アドミッション制御部３１０は、自装置の各セルが設定するＣＳＧのＣＳＧ  ＩＤを所定の記憶部に予め記憶してある。
ステップ８０３の結果、接続要求にて通知される端末装置がセル２０７のＣＳＧメンバの端末装置でない場合、アドミッション制御部３１０は、接続要求を拒否する（ステップ８０８）。
ステップ８０３の結果、接続要求にて通知される端末装置がセル２０７のＣＳＧメンバの端末装置である場合、アドミッション制御部３１０は、自局の接続状態を管理する情報に基づき、非ＣＳＧメンバの端末装置の接続の有無を判定する（ステップ８０４）。
ステップ８０４の結果、非ＣＳＧメンバの端末装置の接続がない場合、アドミッション制御部３１０は、ＣＳＧメンバの端末装置のみで接続数の最大値に達しており、これ以上のＣＳＧメンバの端末装置の接続は不可能と判断して、接続要求を拒否する（ステップ８０８）。
ステップ８０４の結果、非ＣＳＧメンバの端末装置の接続がある場合、アドミッション制御部３１０は、接続されている非ＣＳＧメンバの端末装置から一つを選択する（ステップ８０５）。ステップ８０５における端末装置の選択方法としては、例えば自装置に接続している時間が最も長いもの、又は、予め定めた優先順位に従う選択などが考えられる。
次に、アドミッション制御部３１０は、移動制御部３０９に対し、ハンドオーバ指示を行い、ハンドオーバの対象の端末装置、およびハンドオーバ先のセルを通知する（ステップ８０６）。ここで、ステップ８０６にて通知されるハンドオーバの対象の端末装置は、ステップ８０５で選択した非ＣＳＧメンバの端末装置となる。また、ステップ８０６にて通知されるハンドオーバ先のセルとしては、例えば、前記非ＣＳＧメンバの端末装置が過去に在圏したセルや、過去に報告した下り信号の品質の測定結果において品質が高いものが考えられる。
移動制御部３０９からハンドオーバ完了の通知を受信した後、アドミッション制御部３１０は、接続要求を受け入れる（ステップ８０７）。
【００２２】
図９に、ステップ７０４における基地局２０２のハンドオーバ処理の詳細シーケンスを示す。なお、ステップ７０４は非ＣＳＧメンバの端末装置のハンドオーバ処理であるが、ＣＳＧメンバの端末装置のハンドオーバ処理の場合も同様のシーケンスとなる。
基地局装置２０２の移動制御部３０９は、アドミッション制御部３１０もしくは下り信号品質測定制御部３１１からのハンドオーバ指示（ステップ９０１、ステップ７０３）により、非ＣＳＧメンバの端末装置のハンドオーバ先を選択すると（ステップ９０２）、ネットワークプロトコル処理部３０７に対し、Ｈａｎｄｏｖｅｒ  Ｒｅｑｕｉｒｅｄメッセージの生成を指示する（ステップ９０３）。
ネットワークプロトコル処理部３０７は、Ｈａｎｄｏｖｅｒ  Ｒｅｑｕｉｒｅｄメッセージを送信し（ステップ９０４）、その応答としてＨａｎｄｏｖｅｒ  Ｃｏｍｍａｎｄメッセージを受信すると（ステップ９０５）、移動制御部３０９に対し、Ｈａｎｄｏｖｅｒ  Ｃｏｍｍａｎｄメッセージの受信を通知する（ステップ９０６）。
移動制御部３０９は、ステップ９０６の結果に基づいて、図５のステップ５０９および５１０を実施し、それらが完了すると、ステップ９０１のハンドオーバ指示を発した処理部に対し、ハンドオーバ完了を通知する（ステップ９０７）。また、移動制御部３０９は、ステップ９０９でＨａｎｄｏｖｅｒ  Ｒｅｑｕｅｓｔメッセージを基地局装置２０１に送信する。
【００２３】
次に、非ＣＳＧメンバの端末装置のセル２０７へのハンドオーバの規制および規制解除の通知について詳述する。
図１０（ａ）、（ｂ）はそれぞれ、上記の通知の際に使用されるＨａｎｄｏｖｅｒ  ＲｅｑｕｉｒｅｄメッセージならびにＨａｎｄｏｖｅｒ  Ｒｅｑｕｅｓｔメッセージの内容を示したものである。図１０は図６と比較して、ハンドオーバ元セルの識別情報を通知するためのＥ−ＵＴＲＡＮ  ＣＧＩフィールドが追加されている点が異なっている。また、ＣＳＧ  Ｉｄフィールドは、形式上は図６と同じであるが、ハンドオーバ先セルのＣＳＧ  ＩＤではなく、ハンドオーバ元セルのＣＳＧ  ＩＤが記載される。
基地局装置２０２の移動制御部３０９は、ステップ９０１において、アドミッション制御部３１０から非ＣＳＧメンバの端末装置のハンドオーバを指示されると、ステップ９０３において、ネットワークプロトコル処理部３０７に対し、
ＣＳＧ  Ｉｄフィールドに自局内のセル２０７のＣＳＧ  ＩＤを設定し、Ｃｅｌｌ  Ａｃｃｅｓｓ  Ｍｏｄｅフィールドに自局についての“ｈｙｂｒｉｄ”を設定し、Ｃａｕｓｅフィールド（ハンドオーバ要因）に“Ｔｒａｎｓｐｏｒｔ  Ｒｅｓｏｕｒｃｅ  Ｕｎａｖａｉｌａｂｌｅ”を設定し、Ｅ−ＵＴＲＡＮ  ＣＧＩフィールドにセル２０７の識別情報を設定したＨａｎｄｏｖｅｒ  Ｒｅｑｕｉｒｅｄメッセージの生成を指示する。
ネットワークプロトコル処理部３０７は、上記Ｈａｎｄｏｖｅｒ  Ｒｅｑｕｉｒｅｄメッセージを生成し、移動管理装置２０４に送信する。
上記Ｈａｎｄｏｖｅｒ  Ｒｅｑｕｉｒｅｄメッセージを受信した移動管理装置２０４は、ＣＳＧ  Ｍｅｍｂｅｒｓｈｉｐ  Ｓｔａｔｕｓフィールドに“ｎｏｔ−ｍｅｍｂｅｒ”を設定し、ＣＳＧ  ＩｄフィールドおよびＣａｕｓｅフィールドにＨａｎｄｏｖｅｒ  Ｒｅｑｕｉｒｅｄメッセージの当該フィールドと同じ値を設定したＨａｎｄｏｖｅｒ  Ｒｅｑｕｅｓｔメッセージを、基地局装置２０１に送信する。
上記Ｈａｎｄｏｖｅｒ  Ｒｅｑｕｅｓｔメッセージを受信した基地局装置２０１では、移動制御部３０９が後述の図１に示す動作に従い、セル２０７を非ＣＳＧメンバ規制中セルリスト３１２に追加する。例えば、基地局装置２０１では、Ｅ−ＵＴＲＡＮ  ＣＧＩによるセル２０７の識別情報と、ＣＳＧ  ＩＤとを対応して非ＣＳＧメンバ規制中セルリスト３１２に記憶する。
また、基地局装置２０２の移動制御部３０９は、ステップ９０１において、下り信号品質測定制御部３１１からＣＳＧメンバの端末装置のハンドオーバを指示されると、ステップ９０３において、ネットワークプロトコル処理部３０７に対し、
ＣＳＧ  Ｉｄフィールドに自局内のセル２０７のＣＳＧ  ＩＤを設定し、Ｃｅｌｌ  Ａｃｃｅｓｓ  Ｍｏｄｅフィールドに自局についての“ｈｙｂｒｉｄ”を設定し、Ｅ−ＵＴＲＡＮ  ＣＧＩフィールドにセル２０７の識別情報を設定したＨａｎｄｏｖｅｒ  Ｒｅｑｕｉｒｅｄメッセージの生成を指示する。
ネットワークプロトコル処理部３０７は、上記Ｈａｎｄｏｖｅｒ  Ｒｅｑｕｉｒｅｄメッセージを生成し、移動管理装置２０４に送信する。
上記Ｈａｎｄｏｖｅｒ  Ｒｅｑｕｉｒｅｄメッセージを受信した移動管理装置２０４は、ＣＳＧ  Ｍｅｍｂｅｒｓｈｉｐ  Ｓｔａｔｕｓフィールドに“ｍｅｍｂｅｒ”を設定し、ＣＳＧ  ＩｄフィールドおよびＣａｕｓｅフィールドにＨａｎｄｏｖｅｒ  Ｒｅｑｕｉｒｅｄメッセージの当該フィールドと同じ値を設定したＨａｎｄｏｖｅｒ  Ｒｅｑｕｅｓｔメッセージを、基地局装置２０１に送信する。
上記Ｈａｎｄｏｖｅｒ  Ｒｅｑｕｅｓｔメッセージを受信した基地局装置２０１では、移動制御部３０９が、以下に説明する図１に示す動作に従い、セル２０７を非ＣＳＧメンバ規制中セルリスト３１２から削除する。
【００２４】
２−３．非ＣＳＧメンバ規制中セルリストの更新
図１に、基地局装置２０１の移動制御部３０９における非ＣＳＧメンバ規制中セルリスト３１２の更新動作のフローを示す。なお、基地局装置２０２においても同様の処理を実行することができる。
基地局装置２０１の移動制御部３０９は、Ｈａｎｄｏｖｅｒ  Ｒｅｑｕｅｓｔメッセージ（例えば、図１０（ｂ）参照）を受信すると（ステップ１０１）、ハンドオーバ元セルがハイブリッドセルであるか否かを判定する（ステップ１０２）。ステップ１０２において、移動制御部３０９は、ステップ１０１にて受信したＨａｎｄｏｖｅｒ  ＲｅｑｕｅｓｔメッセージにＣＳＧ  Ｉｄフィールドが含まれている場合には、ハンドオーバ元セルがハイブリッドセルであると判定し、そうでない場合には、ハンドオーバ元セルがハイブリッドセルでないと判定する。
ステップ１０２の結果、ハンドオーバ元セルがハイブリッドセルである場合、移動制御部３０９は、ハンドオーバ対象の端末装置がハンドオーバ元セルのＣＳＧメンバの端末装置であるか否かを判定する（ステップ１０３）。ステップ１０３において、移動制御部３０９は、ステップ１０１にて受信したＨａｎｄｏｖｅｒ  ＲｅｑｕｅｓｔメッセージのＣＳＧ  Ｍｅｍｂｅｒｓｈｉｐ  Ｓｔａｔｕｓフィールドの値が“ｍｅｍｂｅｒ”である場合には、ハンドオーバ対象の端末装置が、ハンドオーバ元セルのＣＳＧメンバの端末装置であると判定し、ＣＳＧ  Ｍｅｍｂｅｒｓｈｉｐ  Ｓｔａｔｕｓフィールドの値が“ｎｏｔ−ｍｅｍｂｅｒ”である場合には、ハンドオーバ対象の端末装置が、ハンドオーバ元セルのＣＳＧメンバの端末装置でないと判定する。
ステップ１０３の結果、ハンドオーバ対象の端末装置が、ハンドオーバ元セルのＣＳＧメンバの端末装置である場合、移動制御部３０９は、非ＣＳＧメンバ規制中セルリスト３１２を参照して、ハンドオーバ元セルが登録されているか否かを判定する（ステップ１０７）。例えば、移動制御部３０９は、ステップ１０１にて受信したＨａｎｄｏｖｅｒ  ＲｅｑｕｅｓｔメッセージのＥ−ＵＴＲＡＮ  ＣＧＩフィールドを参照し、そこに設定されたハンドオーバ元セルの識別情報が非ＣＳＧメンバ規制中セルリスト３１２に登録されているか否かを判定することができる。
ステップ１０７の結果、ハンドオーバ元セルが非ＣＳＧメンバ規制中セルリスト３１２に登録されていない場合、移動制御部３０９は、直ちに処理を終了する。
ステップ１０７の結果、ハンドオーバ元セルが非ＣＳＧメンバ規制中セルリスト３１２に登録されている場合、移動制御部３０９は、ハンドオーバ元セルを非ＣＳＧメンバ規制中セルリスト３１２から削除し（ステップ１０８）、処理を終了する。
一方、ステップ１０３の結果、ハンドオーバ対象の端末装置が、ハンドオーバ元セルのＣＳＧメンバの端末装置でない場合、移動制御部３０９は、Ｈａｎｄｏｖｅｒ  ＲｅｑｕｅｓｔメッセージのＣａｕｓｅフィールドを参照し、値がＴｒａｎｓｐｏｒｔ  Ｒｅｓｏｕｒｃｅ  Ｕｎａｖａｉｌａｂｌｅであるか否かを判定する（ステップ１０４）。
ステップ１０４の結果、Ｃａｕｓｅフィールドの値がＴｒａｎｓｐｏｒｔ  Ｒｅｓｏｕｒｃｅ  Ｕｎａｖａｉｌａｂｌｅでない場合、移動制御部３０９は、要求されたハンドオーバが、ＣＳＧメンバの端末装置を優先的に接続する目的で非ＣＳＧメンバの端末装置を輻輳中のハイブリッドセルから切り離すためのハンドオーバには該当しないと判断し、直ちに処理を終了する。
ステップ１０４の結果、Ｃａｕｓｅフィールドの値がＴｒａｎｓｐｏｒｔ  Ｒｅｓｏｕｒｃｅ  Ｕｎａｖａｉｌａｂｌｅである場合、移動制御部３０９は、要求されたハンドオーバが、ＣＳＧメンバの端末装置を優先的に接続目的で非ＣＳＧメンバの端末装置を輻輳中のハイブリッドセルから切り離すためのハンドオーバに該当すると判断し、非ＣＳＧメンバ規制中セルリスト３１２を参照して、ハンドオーバ元セルが登録されているか否かを判定する（ステップ１０５）。
ステップ１０５の結果、ハンドオーバ元セルが非ＣＳＧメンバ規制中セルリスト３１２に登録されている場合、移動制御部３０９は、直ちに処理を終了する。
ステップ１０５の結果、ハンドオーバ元セルが非ＣＳＧメンバ規制中セルリスト３１２に登録されていない場合、移動制御部３０９は、ハンドオーバ元セルの識別情報とＣＳＧ  ＩＤを非ＣＳＧメンバ規制中セルリスト３１２に登録し（ステップ１０６）、処理を終了する。
【００２５】
２−４．ハンドオーバ先セルの決定
図１１に、セル２０６に在圏する端末装置が他のセルにハンドオーバする場合の、基地局装置２０１の移動制御部３０９による、ハンドオーバ先セルを決定する処理のフローを示す。なお、基地局装置２０２においても同様の処理を実行することができる。
移動制御部３０９は、下り信号品質測定制御部３１１あるいはアドミッション制御部３１０からハンドオーバ指示を受信すると（ステップ１１０１）、ハンドオーバ指示に含まれる全ての隣接セルについて、以下の動作を行う。
まず移動制御部３０９は、当該隣接セルが非ＣＳＧメンバ規制中セルリスト３１２に登録されているか否かを判定する（ステップ１１０２）。
ステップ１１０２の結果、隣接セルが非ＣＳＧメンバ規制中セルリスト３１２に登録されていない場合、移動制御部３０９は、当該隣接セルをハンドオーバ先候補に追加する（ステップ１１０５）。
一方、ステップ１１０２の結果、隣接セルが非ＣＳＧメンバ規制中セルリスト３１２に登録されている場合、移動制御部３０９は、
ハンドオーバ指示により通知されたハンドオーバ対象の端末装置が、前記隣接セルのＣＳＧメンバの端末装置であるか否かを判定する（ステップ１１０３）。ステップ１１０３において、移動制御部３０９は、非ＣＳＧメンバ規制中セルリスト３１２を参照し、端末装置から事前に報告されたＣＳＧ  ＩＤと、非ＣＳＧメンバ規制中セルリストに記載されている当該セルのＣＳＧ  ＩＤが一致した場合には、当該端末装置が当該セルのＣＳＧメンバの端末装置であると判定し、そうでない場合には、当該端末装置が当該セルのＣＳＧメンバの端末装置でないと判定する。
ステップ１１０３の結果、前記端末装置が前記隣接セルのＣＳＧメンバの端末装置である場合、移動制御部３０９は、当該隣接セルをハンドオーバ先候補に追加する（ステップ１１０５）。
ステップ１１０３の結果、前記端末装置が前記隣接セルのＣＳＧメンバの端末装置でない場合、移動制御部３０９は、当該隣接セルをハンドオーバ先候補から除外する（ステップ１１０４）。
移動制御部３０９は、以上の動作を、ハンドオーバ指示に含まれる全ての隣接セルについて行った後、ハンドオーバ先候補が存在するか否かを判定する（ステップ１１０６）。
ステップ１１０６の結果、ハンドオーバ先候補が存在しない場合には、直ちに処理を終了する。
ステップ１１０６の結果、ハンドオーバ先候補が存在する場合、移動制御部３０９は、ハンドオーバ先候補の間で評価を行い（ステップ１１０７）、評価結果の最も高い候補をハンドオーバ先に決定する（ステップ１１０８）。ステップ１１０７および１１０８の動作は、例えば非特許文献８の５．２．３章および５．２．４章に記載の方法に準じて、ハンドオーバ対象の端末装置から報告された隣接セルの下り信号品質や、予め設定されたセル選択の優先順位などを参照して行われる。
次に、移動制御部３０９は、ステップ１１０８にて決定されたハンドオーバ先に対して、図５に示すハンドオーバ手順の開始をネットワークプロトコル処理部３０７に指示する（ステップ１１０９）。
【００２６】
３．むすび
図１、図８および図１１を用いて説明した動作によれば、基地局装置２０１は、基地局装置２０２から、ＣａｕｓｅフィールドにＴｒａｎｓｐｏｒｔ  Ｒｅｓｏｕｒｃｅ  Ｕｎａｖａｉｌａｂｌｅが設定され、かつ、セル２０７の非ＣＳＧメンバの端末装置が、セル２０７からセル２０６に移動するハンドオーバの要求を受信すると、以降は、セル２０６からセル２０７への非ＣＳＧメンバの端末装置のハンドオーバを抑止する。
また、基地局装置２０１は、セル２０６からセル２０７への非ＣＳＧメンバの端末装置のハンドオーバを抑止している状態で、基地局装置２０２から、セル２０７のＣＳＧメンバの端末装置が、セル２０７からセル２０６に移動するハンドオーバの要求を受信すると、以降は、前記ハンドオーバの抑止を解除する。
ここで、セル２０６からセル２０７への非ＣＳＧメンバの端末装置のハンドオーバの抑止は、ハンドオーバ元のセル２０６を形成する基地局２０１において、図５のステップ５０２の時点で実施され、ステップ５０３以降の動作は行われない。
これにより、基地局２０１から、ハンドオーバ先のセル２０７を形成する基地局装置２０２へのハンドオーバ要求が不要になるため、ネットワークの負荷が軽減される。
また、基地局装置２０２での接続拒否が不要になるため、基地局装置２０２の負荷も軽減される。
さらに、セル２０６からセル２０７への非ＣＳＧメンバの端末装置のハンドオーバの抑止の開始および終了は、セル２０７からセル２０６へのハンドオーバを契機として行われる。このため、各々のセルを形成する基地局装置２０１と２０２の間で、ハンドオーバの抑止の開始や終了のための手順を新たに定義することが不要である。
【００２７】
＜Ｂ．実施の形態２＞
１．システム
本発明の第２の実施の形態について、図１２および図１３を用いて説明する。
図１２に基地局装置２０１の内部構成の一例を示す。
なお、基地局装置２０２も同様の構成を備えることができる。
なお、図３と同一の機能を有する部分には同一の符号を付し、詳細な説明は省略する。
図１２によれば、本発明の第２の実施の形態における基地局装置２０１は、第１の実施の形態と比較して、下り信号品質測定制御部１２０１が測定除外リスト１２０２を有する点が異なる。この測定除外リスト１２０２は、下り信号品質を測定する処理の対象から除外する隣接セルの識別情報を登録するためのものである。
なお、基地局装置２０２も同様の構成を備えることができる。
【００２８】
２．処理
下り信号品質測定制御部１２０１は、第１の実施の形態における下り信号品質測定制御部３１１の機能に加え、測定除外リスト１２０２の更新、および、その際に自セルに在圏する端末装置に対して、下り信号品質測定の設定を変更する機能を有する。
図１３に、基地局装置の下り信号品質測定制御部１２０１における測定除外リスト１２０２の更新動作のフローを示す。実施の形態１と比べると、特に、図１のステップ１０１〜１０４が図１３のステップ１３０１〜１３０４に対応し、他のステップが異なる。なお、基地局装置２０２においても同様の処理を実行することができる。
下り信号品質測定制御部１２０１は、Ｈａｎｄｏｖｅｒ  Ｒｅｑｕｅｓｔメッセージを受信すると（ステップ１３０１）、実施の形態１におけるステップ１０２と同様にして、ハンドオーバ元セルがハイブリッドセルであるか否かを判定する（ステップ１３０２）。
ステップ１３０２の結果、ハンドオーバ元セルがハイブリッドセルである場合、下り信号品質測定制御部１２０１は、実施の形態１におけるステップ１０３と同様にして、端末装置がハンドオーバ元セルのＣＳＧメンバの端末装置であるか否かを判定する（ステップ１３０３）。
ステップ１３０３の結果、ハンドオーバ対象の端末装置が、ハンドオーバ元セルのＣＳＧメンバの端末装置である場合、下り信号品質測定制御部１２０１は、測定除外リスト１２０２を参照してハンドオーバ元セルが登録されているか否かを判定する（ステップ１３０８）。
ステップ１３０８の結果、ハンドオーバ元セルが測定除外リスト１２０２に登録されていない場合、下り信号品質測定制御部１２０１は、直ちに処理を終了する。
ステップ１３０８の結果、ハンドオーバ元セルが測定除外リスト１２０２に登録されている場合、下り信号品質測定制御部１２０１は、ハンドオーバ元セルを測定除外リスト１２０２から削除する（ステップ１３０９）。次いで、下り信号品質測定制御部１２０１は、自局に接続されている、ステップ１３０９にて測定除外リストから削除されたハンドオーバ元セル（ハイブリッドセル）の非ＣＳＧメンバの端末装置全てに対し、下り信号品質測定の対象に当該セルを含めるよう、下り信号品質測定の設定を変更（ステップ１３１０）した後、処理を終了する。
ステップ１３０３の結果、ハンドオーバ対象の端末装置が、ハンドオーバ元セルのＣＳＧメンバの端末装置でない場合、下り信号品質測定制御部１２０１は、Ｈａｎｄｏｖｅｒ  ＲｅｑｕｅｓｔメッセージのＣａｕｓｅフィールドを参照し、値がＴｒａｎｓｐｏｒｔ  Ｒｅｓｏｕｒｃｅ  Ｕｎａｖａｉｌａｂｌｅであるか否かを判定する（ステップ１３０４）。
ステップ１３０４の結果、Ｃａｕｓｅフィールドの値がＴｒａｎｓｐｏｒｔ  Ｒｅｓｏｕｒｃｅ  Ｕｎａｖａｉｌａｂｌｅでない場合、下り信号品質測定制御部１２０１は、要求されたハンドオーバが、輻輳中のハイブリッドセルにＣＳＧメンバの端末装置を優先的に接続する目的で非ＣＳＧメンバの端末装置を輻輳中のハイブリッドセルから切り離すためのハンドオーバには該当しないと判断し、直ちに処理を終了する。
ステップ１３０４の結果、Ｃａｕｓｅフィールドの値がＴｒａｎｓｐｏｒｔ  Ｒｅｓｏｕｒｃｅ  Ｕｎａｖａｉｌａｂｌｅである場合、下り信号品質測定制御部１２０１は、要求されたハンドオーバが、ＣＳＧメンバの端末装置を優先的に接続する目的で非ＣＳＧメンバの端末装置を輻輳中のハイブリッドセルから切り離すためのハンドオーバに該当すると判断し、測定除外リスト１２０２を参照してハンドオーバ元セルが登録されているか否かを判定する（ステップ１３０５）。
ステップ１３０５の結果、ハンドオーバ元セルが測定除外リスト１２０２に登録されている場合、下り信号品質測定制御部１２０１は、直ちに処理を終了する。
ステップ１３０５の結果、ハンドオーバ元セルが測定除外リスト１２０２に登録されていない場合、下り信号品質測定制御部８０１は、ハンドオーバ元セルを測定除外リスト１２０２に登録する（ステップ１３０６）。次いで、下り信号品質測定制御部１２０１は、自装置に接続されている、ステップ１３０６にて測定除外リストに登録されたハンドオーバ元セル（ハイブリッドセル）の非ＣＳＧメンバの端末装置全てに対し、下り信号品質測定の対象から当該セルを除外するよう、下り信号品質測定の設定を変更（ステップ１３０７）した後、処理を終了する。
【００２９】
図１３を用いて説明した動作によれば、基地局装置２０１が基地局装置２０２から、ＣａｕｓｅにＴｒａｎｓｐｏｒｔ  Ｒｅｓｏｕｒｃｅ  Ｕｎａｖａｉｌａｂｌｅを設定した非ＣＳＧメンバの端末装置のセル２０７からセル２０６へのハンドオーバの要求を受信すると、以降は、セル２０６に在圏している非ＣＳＧメンバの端末装置は、基地局装置２０１宛の下り信号品質の測定結果の報告に、セル２０７を含めなくなる。これにより、基地局装置２０１では、非ＣＳＧメンバの端末装置のハンドオーバ先を決定する際に、セル２０７を除いた隣接セルの情報を参照して処理を行う。
また、基地局装置２０１が上記の状態で、基地局装置２０２から、ＣＳＧメンバの端末装置のセル２０７からセル２０６へのハンドオーバの要求を受信すると、以降は、セル２０６に在圏している非ＣＳＧメンバの端末装置は、基地局装置２０１宛の下り信号品質の測定結果の報告に、セル２０７を含める。これにより、基地局装置２０１では、非ＣＳＧメンバの端末装置のハンドオーバ先を決定する際に、セル２０７が選択され得る。
【００３０】
３．むすび
本発明の第２の実施の形態は、非ＣＳＧメンバの端末装置に対しセル２０７へのハンドオーバを許可しない場合、基地局装置２０１が、初めからセル２０７を除外して、非ＣＳＧメンバの端末装置のハンドオーバ先を決定するため、第１の実施の形態と比較して、ハンドオーバにおける基地局装置２０１の負荷を軽減することが可能になる。
【産業上の利用可能性】
【００３１】
なお、本発明の第１および第２の実施の形態では、ハイブリッドセルに隣接するセルをオープンアクセスモードで運用されるマクロセルとしたが、その代わりに、オープンアクセスモードで運用されるフェムトセルや、ハイブリッドアクセスモードで運用されるマクロセルもしくはフェムトセルとすることも可能である。
【符号の説明】
【００３２】
１０１…Ｈａｎｄｏｖｅｒ  Ｒｅｑｕｅｓｔメッセージを受信するステップ
１０２…ハンドオーバ元セルがハイブリッドセルか否かを判定するステップ
１０３…端末がハンドオーバ元セルのＣＳＧメンバであるか否かを判定するステップ
１０４…Ｈａｎｄｏｖｅｒ  ＲｅｑｕｅｓｔメッセージのＣａｕｓｅフィールドの値がＴｒａｎｓｐｏｒｔ  Ｒｅｓｏｕｒｃｅ  Ｕｎａｖａｉｌａｂｌｅであるか否かを判定するステップ
１０５…ハンドオーバ元セルがハンドオーバ禁止リストに登録されているか否かを判定するステップ
１０６…ハンドオーバ元セルをハンドオーバ禁止リストに登録するステップ
１０７…ハンドオーバ元セルがハンドオーバ禁止リストに登録されているか否かを判定するステップ
１０８…ハンドオーバ元セルをハンドオーバ禁止リストから削除するステップ
２０１…基地局装置
２０２…基地局装置
２０３ａ…端末装置
２０３ｂ…端末装置
２０４…移動管理装置
２０５…ゲートウェイ装置
２０６…マクロセル
２０７…フェムトセル（ハイブリッドセル）
２０８…コアネットワーク
２０９…パケットデータネットワーク
３０１…アンテナ
３０２…ＲＦ処理部
３０３…物理層処理部
３０４…ネットワークインタフェース
３０５…ソフトウェア
３０６…無線プロトコル処理部
３０７…ネットワークプロトコル処理部
３０８…呼制御部
３０９…移動制御部
３１０…アドミッション制御部
３１１…下り信号品質測定制御部
３１２…ハンドオーバ禁止リスト
５０１…Ｍｅａｓｕｒｅｍｅｎｔ  Ｒｅｐｏｒｔメッセージを送信するステップ
５０２…ハンドオーバの要否を決定するステップ
５０３…Ｈａｎｄｏｖｅｒ  Ｒｅｑｕｉｒｅｄメッセージを送信するステップ
５０４…Ｈａｎｄｏｖｅｒ  Ｒｅｑｕｅｓｔメッセージを送信するステップ
５０５…アドミッション制御を行うステップ
５０６…Ｈａｎｄｏｖｅｒ  Ｒｅｑｕｅｓｔ  Ａｃｋｎｏｗｌｅｄｇｅメッセージを送信するステップ
５０７…データ転送経路を確立するステップ
５０８…Ｈａｎｄｏｖｅｒ  Ｃｏｍｍａｎｄメッセージを送信するステップ
５０９…ハンドオーバ先セルを確定するステップ
５１０…通信経路を切り替えるステップ
５１１…Ｈａｎｄｏｖｅｒ  Ｆａｉｌｕｒｅメッセージを送信するステップ
５１２…Ｈａｎｄｏｖｅｒ  Ｐｒｅｐａｒａｔｉｏｎ  Ｆａｉｌｕｒｅメッセージを送信するステップ
７０１…接続要求を行うステップ
７０２…接続可否判定を行うステップ
７０３…非ＣＳＧメンバの端末装置のハンドオーバを指示するステップ
７０４…非ＣＳＧメンバの端末装置のハンドオーバ処理を行うステップ
７０５…ハンドオーバの完了を通知するステップ
７０６…接続要求の受け入れを通知するステップ
８０１…接続要求を受信するステップ
８０２…端末の接続数が最大値に達しているか否かを判定するステップ
８０３…接続要求にて通知された端末が自セルのＣＳＧメンバか否かを判定するステップ
８０４…非ＣＳＧメンバが接続されているか否かを判定するステップ
８０５…接続されている非ＣＳＧメンバの中から一つを選択するステップ
８０６…移動制御部に非ＣＳＧメンバのハンドオーバを指示するステップ
８０７…接続要求を受け入れるステップ
８０８…接続要求を拒否するステップ
９０１…ハンドオーバを指示するステップ
９０２…ハンドオーバ先を選択するステップ
９０３…Ｈａｎｄｏｖｅｒ  Ｒｅｑｕｉｒｅｄメッセージの送信を指示するステップ
９０４…Ｈａｎｄｏｖｅｒ  Ｒｅｑｕｉｒｅｄメッセージを送信するステップ
９０５…Ｈａｎｄｏｖｅｒ  Ｃｏｍｍａｎｄメッセージを送信するステップ
９０６…Ｈａｎｄｏｖｅｒ  Ｃｏｍｍａｎｄメッセージの受信を通知するステップ
９０７…ハンドオーバの完了を通知するステップ
１１０１…ハンドオーバ指示を受信するステップ
１１０２…隣接セルがハンドオーバ禁止リストに登録されているか否かを判定するステップ
１１０３…端末装置が隣接セルのＣＳＧメンバであるか否かを判定するステップ
１１０４…隣接セルをハンドオーバ先候補から除外するステップ
１１０５…隣接セルをハンドオーバ先候補に追加するステップ
１１０６…ハンドオーバ先候補が存在するか否かを判定するステップ
１１０７…ハンドオーバ先候補の評価を行うステップ
１１０８…ハンドオーバ先を決定するステップ
１１０９…ハンドオーバ手順を実施するステップ
１２０１…下り信号品質測定制御部
１２０２…測定除外リスト
１３０１…Ｈａｎｄｏｖｅｒ  Ｒｅｑｕｅｓｔメッセージを受信するステップ
１３０２…ハンドオーバ元セルがハイブリッドセルか否かを判定するステップ
１３０３…端末がハンドオーバ元セルのＣＳＧメンバであるか否かを判定するステップ
１３０４…Ｈａｎｄｏｖｅｒ  ＲｅｑｕｅｓｔメッセージのＣａｕｓｅフィールドの値がＴｒａｎｓｐｏｒｔ  Ｒｅｓｏｕｒｃｅ  Ｕｎａｖａｉｌａｂｌｅであるか否かを判定するステップ
１３０５…ハンドオーバ元セルが測定除外リストに登録されているか否かを判定するステップ
１３０６…ハンドオーバ元セルを測定除外リストに登録するステップ
１３０７…自セルに在圏する端末装置に、ハンドオーバ元セルを測定対象から除外するよう、下り信号品質測定の設定の変更を通知するステップ
１３０８…ハンドオーバ元セルが測定除外リストに登録されているか否かを判定するステップ
１３０９…ハンドオーバ元セルを測定除外リストから削除するステップ
１３１０…自セルに在圏する端末装置に、ハンドオーバ元セルを測定対象に含めるよう、下り信号品質測定の設定の変更を通知するステップ
【図１】
0005455791.tif 000002
【図２】
0005455791.tif 000003
【図３】
0005455791.tif 000004
【図４】
0005455791.tif 000005
【図５】
0005455791.tif 000006
【図６（ａ）】
0005455791.tif 000007
【図６（ｂ）】
0005455791.tif 000008
【図７】
0005455791.tif 000009
【図８】
0005455791.tif 000010
【図９】
0005455791.tif 000011
【図１０（ａ）】
0005455791.tif 000012
【図１０（ｂ）】
0005455791.tif 000013
【図１１】
0005455791.tif 000014
【図１２】
0005455791.tif 000015
【図１３】
0005455791.tif 000016